(57)【要約】【課題】本発明は、水などの液体が筐体内に浸入することが抑制される電子機器を提供する。【解決手段】ポータブルコンピュータ１０は、回路モジュール４０が内蔵された筐体２１と、キーボード２８が着脱可能に載置されるとともに、開口部５３が設けられたキーボード載置部５０と、開口部５３を着脱可能の覆うスライドカバー７０と、を備える。開口部５３は、キーボード２８と回路モジュール４０とを電気的に接続するフレキシブル基板２８ｂが通るとともに、キーボード載置部５０の面積の半分以下の開口面積Ｓである【選択図】図２
2007041637.tif 000002
【特許請求の範囲】
【請求項１】
回路モジュールが内蔵された筐体と、
キーボードが着脱可能に載置されるとともに、開口部が設けられたキーボード載置部と、
前記開口部を着脱可能に覆うカバーと、
を具備し、
前記開口部は、前記キーボードと前記回路モジュールとを電気的に接続する配線が通るとともに、前記前記キーボード載置部の面積の半分以下の開口面積であることを特徴とする電子機器。
【請求項２】
請求項１の記載において、
前記開口部の縁部と前記カバーとの間に介在されるシール部材を備えることを特徴とする請求項１に記載の電子機器。
【請求項３】
前記開口部の縁部にはリブが設けられることを特徴とする請求項２に記載の電子機器。
【請求項４】
前記シール部材の前記カバー側端部は、前記リブの先端よりも突出していることを特徴とする請求項３に記載の電子機器。
【請求項５】
前記筐体には、係止部が形成され、
前記カバーには、前記係止部に係合する係合部が形成されることを特徴とする請求項１に記載の電子機器。
【請求項６】
前記カバーがスライドされることによって、前記係合部と前記係止部とが互いに係合されることを特徴とする請求項５に記載の電子機器。
【請求項７】
前記カバーには、前記カバーをスライドする際に用いられる把持部が設けられることを特徴とする請求項６に記載の電子機器。
【請求項８】
前記係合部は、第１の爪部と第２の爪部とを含み、
前記第１の爪部は、前記カバーのスライド方向に延びる本体部であって、前記スライド方向および高さ方向と交差する方向の幅が、高さ方向の厚みよりも小さい本体部を有し、
前記第２の爪部は、前記スライド方向に延びる本体部であって、高さ方向の厚みが、前記スライド方向および前記高さ方向と交差する方向の幅よりも小さい本体部を有し、
前記係止部は、前記第１の爪部の本体部が係合される第１の係止部と、前記第２の爪部の本体部が係合される第２の係止部とを含み、
前記第１の係止部は、前記筐体において前記スライド方向および前記高さ方向と交差する方向にスペースの制限のある部位に設けられ、
前記第２の係止部は、前記筐体において高さ方向にスペースの制限のある部位に設けられることを特徴とする請求項７に記載の電子機器。
【請求項９】
前記カバーは、前記係合部と前記係止部とが互いに係合した状態で前記筐体にねじで固定されることを特徴とする請求項６に記載の電子機器。
【請求項１０】
前記カバーには前記ねじを覆う覆い部材が設けられることを特徴とする請求項９に記載の電子機器。
【請求項１１】
前記係合部と前記係止部とには、前記係合部と前記係止部との係合を案内するガイド部が形成されることを特徴とする請求項６に記載の電子機器。
【請求項１２】
前記ガイド部は、前記カバーを前記スライド方向にスライドさせたときに、前記カバーを下方に沈みこませることを特徴とする請求項１１電子機器。
【発明の詳細な説明】
【技術分野】
【０００１】
本発明は、水などの液体の浸入を抑制する機能を有する電子機器に関する。
【背景技術】
【０００２】
一般に、電子機器、例えばポータブルコンピュータでは、小型化を実現するために、配線板に電子回路部品が実装されて形成される回路モジュールの上方にキーボードやスイッチ類が配置されている。
【０００３】
この種の電子機器では、筐体内に回路モジュールを収容した後、該筐体上にキーボードを配置することになる。それゆえ、筐体の壁部には、回路モジュールとキーボードとを電気的に接続するケーブルを通すとともに、該作業を行うための開口部が形成されている。この開口部は、筐体において回路モジュールとキーボードとの間に位置する壁部、例えば筐体の上壁部に形成されている。そして、開口部は、キーボード基板によって塞がれている。
【０００４】
しかし、ポータブルコンピュータの使用中などでは、キーボードは、外部に面する。それゆえ、万が一、ポータブルコンピュータの使用中に使用者が水などの飲料をこぼすなどすると、該飲料がキーボードのベースプレートと開口部の縁部との間から浸入することが考えられる。回路モジュールに水など液体が付着することは好ましくない。
【０００５】
それゆえ、ポータブルコンピュータには、水などの液体が筐体内に浸入することを防ぐための防滴構造が施されている。
【０００６】
防滴構造として、キーボードのベースプレートに排出ホールが形成されている。排出ホールは、外部に通じている。それゆえ、万が一、キーボード上に水などの液体が流れ込んでも、該液体は、排出ホールを通過して外部へ排出される（例えば、特許文献１参照。）。
【特許文献１】特開２００３―１２２４５４号公報
【発明の開示】
【発明が解決しようとする課題】
【０００７】
しかし、特許文献１に開示されている防滴構造であっても、キーボードのベースプレートの縁と開口部の縁との間から液体が浸入することが考えられる。
【０００８】
また、特許文献１に開示されている防滴構造では、開口部は、キーボードのベースプレートの面積と略同じ大きさを有している。それゆえ、開口部は比較的大きい。
【０００９】
つまり、開口部の縁の長さが長くなるので、筐体内へ水などの液体が浸入することが考えられる。
【００１０】
したがって、本発明の目的は、水などの液体が筐体内へ浸入することを抑制できる電子機器を提供することにある。
【課題を解決するための手段】
【００１１】
本発明の電子機器は、回路モジュールが内蔵された筐体と、キーボードが着脱可能に載置されるとともに、開口部が設けられたキーボード載置部と、開口部を着脱可能の覆うカバーと、を具備し、開口部は、キーボードと回路モジュールとを電気的に接続する配線が通るとともに、キーボード載置部の面積の半分以下の開口面積であることを特徴とする。
【発明の効果】
【００１２】
本発明の電子機器では、水などの液体が筐体内へ浸入することが抑制される。
【発明を実施するための最良の形態】
【００１３】
本発明の第１の実施形態に係る電子機器を、ポータブルコンピュータ１０を一例に、図１から図１７を参照して説明する。
【００１４】
図１は、ポータブルコンピュータ１０を示している。図１に示すように、ポータブルコンピュータ１０は、コンピュータ本体２０と、表示ユニット３０と、を備えている。
【００１５】
コンピュータ本体２０は、筐体２１と、キーボード２８と、後述される回路モジュール４０と、を備えている。
【００１６】
筐体２１は、扁平な箱状である。筐体２１は、上壁部２２と、下壁部２３と、前壁部２４と、後壁部２５と、右壁部２６と、左壁部２７と、を有している。上壁部２２には、キーボード２８が設置されている。回路モジュール４０は、筐体２１内に収容されている。
【００１７】
筐体２１は、キーボード２８の操作性を向上するためなどの理由により、前壁部２４側よりも後壁部２５側が高くなっている。つまり、キーボード２８は、キーボード２８の前側が下方に傾斜する。
【００１８】
表示ユニット３０は、表示ユニットハウジング３１と、液晶表示パネル３２と、を備えている。液晶表示パネル３２は、表示ユニットハウジング３１に収容されている。液晶表示パネル３２は、画像を表示するスクリーン３２ａを有している。スクリーン３２ａは、表示ユニットハウジング３１の前面に形成された開口部３１ａを通じて表示ユニットハウジング３１の外方に露出している。表示ユニット３０は、コンピュータ本体２０に図示しないヒンジによって連結されている。
【００１９】
表示ユニット３０は、閉じ状態と、開き状態との間で回動自由である。閉じ状態は、表示ユニット３０がキーボード２８を上方から覆うようにコンピュータ本体２０の上に横たわる状態である。開き状態は、表示ユニット３０がキーボード２８やスクリーン３２ａを露出させるようにコンピュータ本体２０に対して起立する状態である。
【００２０】
図２は、コンピュータ本体２０が分解された状態を示している。図２に示すように、筐体２１の上壁部２２には、キーボード載置部５０が形成されている。キーボード載置部５０には、キーボード２８が載置される。キーボード載置部５０は、上壁部２２においてキーボード載置部５０以外の範囲よりも凹んでいる。キーボード載置部５０の前縁５１は、筐体２１の前壁部２４に面している。キーボード載置部５０の後縁５２は、筐体２１の後壁部２５に面している。
【００２１】
キーボード載置部５０には、開口部５３が形成されている。図３は、筐体２１の上壁部２２を拡大して示している。
【００２２】
開口部５３は、キーボード載置部５０（上壁部２２）を貫通している。開口部５３の縁部５５は、キーボード載置部５０よりも一段低く形成されている。縁部５５は、開口部５３の縁５６の近傍部分である。
【００２３】
開口部５３は、キーボード載置部５０の幅方向略中心近傍に配置されている。開口部５３は、略矩形である。図３に示される筐体２１内には、回路モジュール４０は、収容されていない。
【００２４】
開口部５３の占める範囲、つまり開口部５３の開口面積Ｓは、キーボード載置部５０が占める面積の半分以下である。本実施形態では、開口部５３の占める範囲、つまり開口面積Ｓは、例えばキーボード載置部５０の占める範囲の略３０パーセント程度である。開口部５３の占める範囲は、キーボード載置部５０の占める範囲の１０〜３０パーセントであることが好ましい。
【００２５】
なお、図２中に示される筐体２１内には、回路モジュール４０が収容されている。また、図４は、図２に２点鎖線で示されるＦ４の範囲を拡大して示している。それゆえ、図２と図４とに示すように、回路モジュール４０の一部は、キーボード２８と後述されるスライドカバー７０とが筐体２１に取り付けられていない状態において、開口部５３を通して、筐体２１の外部へ露出する。
【００２６】
図４に示すように、開口部５３の前縁５３ｂは、キーボード載置部５０の前縁５１よりも後方に位置している。それゆえ、キーボード載置部５０の前縁５１と開口部５３の前縁５３ｂとの間には、隙間Ａが規定されている。
【００２７】
回路モジュール４０は、配線板４１と、配線板４１に実装される部品とを備えている。配線板４１に実装される部品として、液晶ディスプレイ用ハーネスコネクタ４２と、スイッチ基板コネクタ４３と、スピーカーコネクタ４４と、キーボードコネクタ４５と、タッチパッドコネクタ４６と、などがある。
【００２８】
上記した、液晶ディスプレイ用ハーネスコネクタ４２と、スイッチ基板コネクタ４３と、スピーカーコネクタ４４と、キーボードコネクタ４５と、タッチパッドコネクタ４６とは、回路モジュール４０が筐体２１内に収容された後に、筐体２１の外側から接続されるべき配線などが電気的に接続される部品である。
【００２９】
これら、液晶ディスプレイ用ハーネスコネクタ４２と、スイッチ基板コネクタ４３と、スピーカーコネクタ４４と、キーボードコネクタ４５と、タッチパッドコネクタ４６と、は、配線板４１において、開口部５３と対向する範囲に実装されている。
【００３０】
それゆえ、液晶ディスプレイ用ハーネスコネクタ４２と、スイッチ基板コネクタ４３と、スピーカーコネクタ４４と、キーボードコネクタ４５と、タッチパッドコネクタ４６とは、筐体２１にキーボード２８とスライドカバー７０とが取り付けられていない状態において、開口部５３を通して外部に露出している。
【００３１】
なお、配線板４１において開口部５３と対向する範囲に実装される電子部品は、上記の液晶ディスプレイ用ハーネスコネクタ４２と、スイッチ基板コネクタ４３と、スピーカーコネクタ４４と、キーボードコネクタ４５と、タッチパッドコネクタ４６と、に限定されない。
【００３２】
上記以外の部品であっても、回路モジュール４０が筐体２１内に収容された後に筐体２１の外部からアクセスされる部品は、配線板４１において開口部５３と対向する範囲に実装されてもよい。
【００３３】
上記のように形成されるポータブルコンピュータ１０は、開口部５３を通して、水などの液体が筐体２１内に浸入することを防止する防滴構造６０を備えている。
【００３４】
図２に示すように、防滴構造６０は、スライドカバー７０と、把持部材８０と、第１の孔塞インシュレータ９０と、シール部材１００と、係合機構１１０と、第２の孔塞インシュレータ２００と、を備えている。
【００３５】
図５は、スライドカバー７０を示している。スライドカバー７０は、開口部５３を覆う。図６は、スライドカバー７０が開口部５３を覆っている状態を示している。なお、図６中のスライドカバー７０には、後述される把持部材８０および第１の孔塞インシュレータ９０が取り付けられている。図６に示すように、スライドカバー７０は、略矩形であって、開口部５３の全域（開口面積Ｓ）を覆うとともに、開口部５３の縁部５５の略全域を覆う大きさを有している。
【００３６】
なお、スライドカバー７０の厚みは、キーボード載置部５０の上面から縁部５５の上面までの深さに対応している。それゆえ、スライドカバー７０を筐体２１に取り付けると、スライドカバー７０の上面７３とキーボード載置部５０の上面とは、略面一になる。
【００３７】
図５に示すように、スライドカバー７０には、複数の貫通孔７１が形成されている。各貫通孔７１は、スライドカバー７０を貫通している。また、スライドカバー７０には、後述されるねじ１６０が貫通する貫通孔７２が形成されている。スライドカバー７０は、例えば金属材料で形成されている。
【００３８】
把持部材８０は、スライドカバー７０の上面７３に取り付けられる。把持部材８０は、例えば樹脂製であって薄いフィルム状である。把持部材８０は、固定部８１と、把持部８２と、を有している。
【００３９】
図７は、把持部材８０がスライドカバー７０の上面７３に取り付けられた状態を示している。図７に示すように、固定部８１は、スライドカバー７０の上面７３に固定されている。固定部８１は、例えば接着剤や両面テープなどで固定されてもよい。把持部８２は、固定部８１と一体に形成されているが、スライドカバー７０には固定されない。それゆえ、図７中に２点鎖線で示すように、把持部８２は、スライドカバー７０に対して動くことができる。
【００４０】
図８は、スライドカバー７０の上面７３に第１の孔塞インシュレータ９０が取り付けられた状態を示している。第１の孔塞インシュレータ９０は、例えば樹脂製であって、薄いフィルム状である。第１の孔塞インシュレータ９０は、例えば接着剤や両面テープなどで固定されてもよい。
【００４１】
図８に示すように、第１の孔塞インシュレータ９０は、スライドカバー７０と略同じ面積を有している。それゆえ、第１の孔塞インシュレータ９０は、全ての貫通孔７１を覆う大きさを有している。各貫通孔７１は、第１の孔塞インシュレータ９０によって液密に塞がれる。
【００４２】
第１の孔塞インシュレータ９０には、スリット９１が形成されている。スリット９１は、線状に形成されており、第１の孔塞インシュレータ９０を貫通している。スリット９１は、把持部８２と対向する位置に形成されており、把持部８２が通ることができる大きさを有している。
【００４３】
第１の孔塞インシュレータ９０をスライドカバー７０に固定する際、把持部８２は、スリット９１を通って、第１の孔塞インシュレータ９０の上面側に出る。それゆえ、把持部８２は、外部へ出る。
【００４４】
なお、第１の孔塞インシュレータ９０において、ねじ貫通孔７２と対向する範囲には、後述されるねじ１６０が貫通するねじ貫通孔９２が形成されている。
【００４５】
図９は、図８に示されるＦ９−Ｆ９線に沿う断面図である。図９は、スライドカバー７０の前端７４の、前後方向に沿う断面を示している。なお、スライドカバー７０において前側とは、スライドカバー７０が開口部５３上に配置されたときに、開口部５３の前縁５３ｂ側に位置する部分である。
【００４６】
図９に示すように、第１の孔塞インシュレータ９０は、スライドカバー７０の前端７４を覆う大きさを有している。本実施形態では、第１の孔塞インシュレータ９０は、スライドカバー７０の前端７４で折り返されるとともに、スライドカバー７０の下面７５に回り込む大きさを有している。それゆえ、スライドカバー７０の前端７４は、第１の孔塞インシュレータ９０によって覆われている。
【００４７】
シール部材１００は、スライドカバー７０と開口部５３の縁部５５との間に設けられる。シール部材１００は、スライドカバー７０が開口部５３を覆うように筐体２１に係合された状態において、開口部５３を液密にシールする。
【００４８】
図２に示すように、シール部材１００は、環状であって、開口部５３の縁５６よりも大きく、縁部５５上に配置される。シール部材１００は、スポンジから形成されており、比較的変形し易い。なお、シール部材１００は、スポンジなどのように多孔質の弾性部材から形成されることが好ましい。
【００４９】
係合機構１１０は、スライドカバー７０とシール部材１００とによって開口部５３が液密にシールされた状態において、スライドカバー７０を筐体２１に係合する。
【００５０】
係合機構１１０は、第１の係止部１１１と、第２の係止部１１２と、第１の爪部１２０と、第２の爪部１３０と、を備えている。
【００５１】
図４に示すように、第１の係止部１１１は、開口部５３の縁部５５の左縁部５５ａに２つ形成されている。第１の係止部１１１は、左縁部５５ａの前後方向中間位置と後側とに、それぞれ１つずつ形成されている。
【００５２】
図１３は、後述される第１の爪部１２０が第１の係止部１１１に係合している状態を示す断面図である。図１３は、前後方向に沿って第１の係止部１１１を断面している。図１３に示すように、第１の係止部１１１は、前後方向に延びている。第１の爪部１２０は、第１の係止部１１１の下面１１ａに係合する。
【００５３】
ここで、筐体２１内において、縁部５５の左縁部５５ａの近傍に配置される部品の説明をする。図１０は、図６に示されるＦ１０−Ｆ１０線に沿う断面図である。図１０は、筐体２１内において、縁部５５の左縁部５５ａの近傍を幅方向に断面して示している。
【００５４】
図４と図１０とに一部示すように、筐体２１内において縁部５５の左縁部５５ａの直ぐ左後側には、ファン装置５が配置されている。ファン装置５は、例えば筐体２１の下壁部２３から上壁部２２までの高さと略同じ高さを有している。図４中では、ファン装置５は、点線で示されている。それゆえ、縁部５５の左縁部５５ａとファン装置５との間に規定されるスペースは、小さい。
【００５５】
また、図１０に示すように、配線板４１において左縁部５５ａの直ぐ内側（図中右側）には、第１の部品６が実装されている。なお、図４中には、第１の部品６は、示されていない。第１の部品６の上面部６ａは、筐体２１にスライドカバー７０が係合された状態において、スライドカバー７０の下面７５よりも上方に位置する。
【００５６】
それゆえ、図５に示すように、スライドカバー７０において第１の部品６と対向する範囲には、収容部として、収容孔７６が形成されている。収容孔７６は、スライドカバー７０を貫通している。第１の部品６の上面部６ａが収容孔７６内に収容されることによって、第１の部品６とスライドカバー７０とが干渉することが防止される。なお、収容部としては、収容孔７６に限定されない。例えば、収容部は、スライドカバー７０を貫通していなくてもよい。収容部は、第１の部品６のように、スライドカバー７０と干渉するおそれのある部品の上部を収容することができればよいので、例えば溝形状であってもよい。なお、収容孔７６は、第１の孔塞インシュレータ９０によって液密に塞がれている。
【００５７】
上記のように、開口部５３の左縁部５５ａの後側は、幅方向にファン装置５と第１の部品６とに挟まれている。それゆえ、第１の係止部１１１の幅は、小さい。第１の係止部１１１の幅は、図１３中、紙面奥側に向かって延びる長さである。
【００５８】
図４に示すように、第２の係止部１１２は、縁部５５の右縁部５５ｂに３つ形成されている。これら第２の係止部１１２は、前後方向に例えば略等間隔に配置されている。また、第２の係止部１１２は、縁部５５の左縁部５５ａの前側に１つ形成されている。また、第２の係止部１１２は、開口部５３の前側の略幅方向中心に形成されている。この第２の係止部１１２は、例えば縁部５５の前部分と一体に形成されている。または、この第２の係止部１１２は、回路モジュール４０に形成されてもよい。
【００５９】
図１４は、縁部５５の左縁部５５ａの前側に形成される第２の係止部１１２に、後述される第２の爪部１３０が係合されている状態を示す断面図である。図１４は、第２の係止部１１２を、前後方向に沿って断面している。図１４に示すように、第２の係止部１１２は、前後方向に延びている。なお、他の第２の爪部１３０も同様の形状であってよい。
【００６０】
ここで、筐体２１内において、縁部５５の左縁部５５ａの前側近傍に配置される部品について説明する。図１４に示すように、開口部５３の左縁部５５ａの下方には、ディスク装置などの第２の部品７が収容されている。それゆえ、第２の部品７と縁部５５の左縁部５５ａの前側との間に規定されるスペースは、小さい。
【００６１】
同様に、縁部５５の右縁部５５ｂの下方には、図示しない第３の部品が配置されている。それゆえ、この第３の部品と右縁部５５ｂに形成される第２の係止部１１２との間に規定されるスペースは、小さい。
【００６２】
同様に、開口部５３の前側の幅方向略中心の下方には、図示しない第４の部品が配置されている。それゆえ、開口部５３の前側において幅方向略中心に形成される第２の係止部と第４の部品との間に規定されるスペースは、小さい。
【００６３】
図５に示すように、第１の爪部１２０は、スライドカバー７０の左縁部７７に２つ形成されている。各第１の爪部１２０の形状は、同じである。それぞれ第１爪部１２０は、前後方向に離れて配置されている。一方の第１の爪部１２０は、一方の第１の係止部１１１に係合する。他方の第１の爪部１２０は、他方の第１の爪部１２０と係合する。
【００６４】
図１１は、後方に配置される第１の爪部１２０を拡大して示している。図１１に示すように、第１の爪部１２０は、スライドカバー７０の一部から形成されている。具体的には、収容孔７６を形成する際に、第１の爪部１２０に対応する形状をスライドカバー７０に残しておく。そして、上記のように残された部分を下方に折り曲げることによって、第１の爪部１２０は、形成される。なお、収容孔７６は、第１の孔塞インシュレータ９０によって液密に塞がれる。
【００６５】
第１の爪部１２０は、基部１２１と、本体部１２２と、を有している。基部１２１は、左縁部７７につながっている。基部１２１は、折り曲げられており、下方に向かって延びている。
【００６６】
本体部１２２は、基部１２１の下端部と一体に形成されている。本体部１２２は、基部１２１から前方向に向かって延びている。第１の爪部１２０では、本体部１２２が第１の係止部１１１に係合する。
【００６７】
本体部１２２の第１の幅Ｌ１は、ファン装置５と第１の部品６との干渉を避けるために、小さい。また、本体部１２２の強度を保つために、本体部１２２の高さ方向の第１の厚みＬ２は、幅Ｌ１よりも大きい。
【００６８】
なお、第１の幅Ｌ１は、筐体２１の幅方向Ｘ、つまり左壁部２７から右壁部２６へ向かう方向および右壁部２６から左壁部２７へ向かう方向に沿う大きさである。第１の厚みＬ２とは、筐体２１の上下方向Ｙ、つまり下壁部２３から上壁部２２へ向かう方向および上壁部２２から下壁部２３へ向かう方向に沿う大きさである。
【００６９】
なお、幅方向Ｘは、本発明で言う、スライド方向および高さ方向と交差する方向である。上下方向Ｙは、本発明で言う、高さ方向である。
【００７０】
図５に示すように、第２の爪部１３０は、スライドカバー７０において第２の係止部１１２と対応する位置に形成されている。各第２の爪部１３０は、対応する第２の係止部１１２に係合する。
【００７１】
具体的には、スライドカバー７０の右縁部７８には、開口部５３の縁部５５の右縁部５５ｂに形成される３つの第２の係止部１１２に対応して、３つの第２の爪部１３０が形成されている。これら第２の爪部１３０は、前後方向に略等間隔離間して配置されている。
【００７２】
また、スライドカバー７０の前側において幅方向略中心には、開口部５３の前側において幅方向略中心に形成される第２の係止部１１２に対応して、第２の爪部１３０が１つ形成されている。
【００７３】
また、スライドカバー７０の左縁部７７の前側には、開口部５３の縁部５５の左縁部５５ａの前側に形成される第２の係止部１１２に対応して、第２の爪部１３０が１つ形成されている。
【００７４】
図１２は、スライドカバー７０の左縁部７７の前側に形成される第２の爪部１３０を示している。各第２の爪部１３０は、それぞれ同じであってよいので、スライドカバー７０の左縁部７７の前側に形成される第２の爪部１３０を代表して説明する。
【００７５】
第２の爪部は、スライドカバー７０と一体に形成されている。具体的には、第２の爪部１３０を形成する際に、スライドカバー７０において第２の爪部１３０に対応する部位の周囲は、例えば切り取られるなどする。上記のように、残された部位を下方に折り曲げることによって、第２の爪部１３０は、形成される。なお、上記のように切取られるなどして除かれた部位は、第１の孔塞インシュレータ９０によって液密に塞がれる。
【００７６】
第２の爪部１３０は、基部１３１と、本体部１３２と、を有している。基部１３１は、スライドカバー７０につながっている。基部１３１は、折り曲げられており、下方に向かって延びている。本体部１３２は、基部１３１の下端部に一体に形成されている。本体部１３２は、基部１３１から前方に向かって延びている。第２の爪部１３０では、本体部１３２が第２の係止部１１２と係合する。
【００７７】
本体部１３２の高さ方向の第２の厚みＬ３は、第２〜４の部品と本体部１３２との干渉を避けるために、小さい。本体部１３２の第２の幅Ｌ４は、本体部１３２の強度を確保するために、第２の厚みＬ３よりも大きい。
【００７８】
なお、第２の幅Ｌ４とは、筐体２１の幅方向Ｘ、つまり左壁部２７から右壁部２６へ向かう方向および右壁部２６から左壁部２７へ向かう方向に沿う大きさである。第２の厚みＬ３とは、筐体２１の上下方向Ｙ、つまり下壁部２３から上壁部２２へ向かう方向および上壁部２２から下壁部２３へ向かう方向に沿う大きさである。
【００７９】
なお、スライドカバー７０の前側において幅方向略中心に形成される第２の爪部１３０の本体部１３２の第２の厚みＬ３は、この本体部１３２の下方に位置する第４の部品との干渉を避けるために、小さく形成されている。同様に、スライドカバー７０の右縁部７８に形成される３つの第２の爪部１３０の本体部１３２の第２の厚みＬ３は、これら本体部１３２の下方に位置する第３の部品との干渉を避けるために、小さく形成されている。
【００８０】
上記のように形成される第１,２の爪部１２０,１３０は、スライドカバー７０を前方にスライドすることによって、対応する第１,２の係止部１１１,１１２と係合する。それゆえ、図４と図１３とに示すように、縁部５５において第１の係止部１１１の後方には、対応する第１の爪部１２０が上下方向に挿入される第１の貫通孔７９ａが形成されている。同様に、図４と図１４とに示すように、縁部５５において第２の係止部１１２の後方には、対応する第２の爪部１３０が上下方向に挿入される第２の貫通孔７９ｂが形成されている。
【００８１】
なお、開口部５３の前側であって幅方向略中心に形成される第２の係止部１１２の場合、この係止部の後方は、開口されている。それゆえ、この第２の係止部１１２の後方に第２の貫通孔７９ｂを形成する必要はない。
【００８２】
スライドカバー７０が筐体２１に取り付けられる際、第１,２の爪部１２０,１３０とは、対応する第１,２の貫通孔７９ａ,７９ｂに挿入される。そして、スライドカバー７０を、前方に向かってスライドすることによって、各第１,２の爪部１２０,１３０の本体部１２２,１３２は、対応する第１,２の係止部１１１,１１２に係合する。
【００８３】
それゆえ、図１３に示すように、第１の爪部１２０の本体部１２２の先端には、第１のガイド部１４０が形成されている。第１のガイド部１４０の上面１４１は、斜め前下方に向かって傾斜している。第１の係止部１１１の先端には、第２のガイド部１４２が形成されている。第２のガイド部１４２の下面１４３は、斜め前下方に向かって傾斜している。
【００８４】
図１４に示すように、第２の爪部１３０の本体部１３２の先端には、第３のガイド部１４４が形成されている。第３のガイド部１４４の上面１４５は、斜め前下方に向かって傾斜している。第２の係止部１１２の先端には、第４のガイド部１４６が形成されている。第４のガイド部１４６の下面１４７は、斜め前下方に向かって傾斜している。
【００８５】
図１５は、スライドカバー７０が筐体２１に係合された状態において、スライドカバー７０の前端７４の近傍を示している。
【００８６】
図１３,１４,１５に示すように、開口部５３の縁部５５には、シール部材１００の潰れ具合を規制するリブ１５０が形成されている。図４に示すように、リブ１５０は、環状であって、開口部５３の縁５６の全周に亘って形成されている。リブ１５０は、シール部材１００と、縁５６との間に形成されている。それゆえ、リブ１５０は、シール部材１００の内側に位置している。
【００８７】
シール部材１００のスライドカバー７０側端部、つまり上端部１００ａは、リブ１５０の上面１５０ａよりも上方に突出している（図１６,１７に示す。）。上面１５０ａは、本発明で言う、リブの先端である。
【００８８】
リブ１５０は、各第１,２の爪部１２０,１３０が対応する第１,２の係止部１１１,１１２に係合したときに、スライドカバー７０の下面７５に当接する。このとき、シール部材１００は、スライドカバー７０と縁部５５との間で潰れる。
【００８９】
リブ１５０がスライドカバー７０の下面７５に当接することによって、スライドカバー７０が下方に移動することが防止される。つまり、スライドカバー７０の下方への移動は、リブ１５０によって規制される。
【００９０】
つぎに、スライドカバー７０を筐体２１に取り付ける取付作業を説明する。まず、スライドカバー７０の上面７３に把持部材８０を取り付ける。ついで、スライドカバー７０の上面に第１の孔塞インシュレータ９０を取り付ける。このとき、把持部８２は、スリット９１を通って第１の孔塞インシュレータ９０の上方に出る。
【００９１】
ついで、スライドカバー７０を筐体２１に取り付ける。このとき、シール部材１００をスライドカバー７０と開口部５３の縁部５５との間に介在する。
【００９２】
ついで、図１５に示すように、キーボード２８のフレキシブル基板２８ｂなど、各コネクタ４２〜４６に電気的に接続される配線をシール部材１００とスライドカバー７０との間を通らせて、配線板４１上に実装されるキーボードコネクタ４５などの対応するコネクタ４２〜４６に電気的に接続する。フレキシブル基板２８ｂは、本発明でいう配線である。
【００９３】
ついで、スライドカバー７０を筐体２１に組み付ける。このとき、第１の爪部１２０を第１の貫通孔７９ａに挿入するとともに、第２の爪部１３０を貫通孔７９ｂに挿入する。図１６は、第１の爪部１２０が第１の貫通孔７９ａに挿入された状態を前後方向に断面して示している。図１７は、第２の爪部１３０が第２の貫通孔７９ｂに挿入された状態を前後方向に断面して示している。
【００９４】
このとき、図１６と図１７とに示すように、第１,２の爪部１２０,１３０は、まだ第１,２の係止部１１１,１１２とは、係合していない。
【００９５】
ついで、スライドカバー７０を前方に向かってスライドする。作業者は、把持部材８０の把持部８２を引っ張ることによって、スライドカバー７０をスライドする。図１６に矢印Ｃで示すように、スライドカバー７０を前方向にスライドすることによって、第１の爪部１２０の第１のガイド部１４０の上面１４１は、第１の係止部１１１の第２のガイド部１４２の下面１４３に沿って摺動する。
【００９６】
また、図１７に示すように、スライドカバー７０が前方向Ｃにスライドされると、第２の爪部１３０の第３のガイド部１４４の上面１４５は、第２の係止部１１２の第４のガイド部１４６の下面１４７に沿って摺動する。
【００９７】
上記のように、第１のガイド部１４０の上面１４１が第２のガイド部１４２の下面１４３に沿って摺動し、かつ第３のガイド部１４４の上面１４５が第４のガイド部１４６の下面１４７に沿って摺動することによって、スライドカバー７０は、前方にスライドされると同じに、下方向Ｄに沈みこむ。
【００９８】
それゆえ、第１,２の爪部１２０,１３０は、図１６,１７中に２点鎖線で示すように下方向Ｄに沈みこみ、第１,２の係止部１１１,１１２と係合する。図１６,１７中に２点鎖線で示される第１,２の爪部１２０,１３０は、第１,２の係止部１１１,１１２に係合した状態である。
【００９９】
上記のように、スライドカバー７０が前方にスライドされながら下方に沈み込むことによって、シール部材１００は、縁部５５とスライドカバー７０との間で潰される。
【０１００】
図１６と図１７とに示されるシール部材１００は、スライドカバー７０と縁部５５との間で潰される前の状態である。図１３,１４,１５に示されるシール部材１００は、スライドカバー７０と開口部５３の縁部５５との間で潰された状態である。
【０１０１】
ついで、図１３，１４に示すように第１，２の爪部１２０，１３０が第１，２の係止部１１１，１１２に係合されると、図６に示すように、スライドカバー７０は、ねじ１６０によって、筐体２１に固定される。ねじ１６０は、スライドカバー７０に形成されるねじ貫通孔７２を通って、例えば回路モジュール４０において開口部５３内に設けられるねじ部５７に螺合する。ねじ部５７は、図４に示される。
【０１０２】
スライドカバー７０がねじ１６０によって筐体２１に固定されることによって、第１，２の爪部１２０,１３０が第１，２の係止部１１１，１１２から外れる方向に沿ってスライドカバー７０がスライドすることが防止される。
【０１０３】
図６に示すようにねじ１６０が固定されると、第１の孔塞インシュレータ９０上には、貫通孔７２,９２を液密に覆う第２の孔塞インシュレータ２００が取り付けられる。第２の孔塞インシュレータ２００は、例えば樹脂製であって薄いフィル状である。
【０１０４】
第２の孔塞インシュレータ２００は、本発明で言う、ねじを覆う覆い部材の一例である。これによって、ねじ貫通孔７２を通って筐体２１内に水などの液体が浸入することが抑制される。
【０１０５】
スライドカバー７０が筐体２１に固定された後、キーボード２８は、キーボード２８のベースプレート２８ａ側からキーボード載置部５０に配置される。
【０１０６】
このように形成されるポータブルコンピュータ１０では、開口部５３の占める範囲、つまり開口面積Ｓは、キーボード載置部５０の占める範囲（面積）の半分以下である。それゆえ、開口部５３の縁５６の全周は、小さくなる。つまり、水などの液体が筐体２１内に浸入する際、該液体は、開口部５３の縁５６とスライドカバー７０との間から浸入することが考えられるが、縁５６の全周が短くなることによって、液体が筐体２１内に浸入しにくくなる。
【０１０７】
したがって、ポータブルコンピュータ１０では、筐体２１内に水などの液体が浸入しにくくなる。
【０１０８】
さらに、開口部５３を小さくすることによって、スライドカバー７０の大きさも小さくすることができる。それゆえ、スライドカバー７０のコストを低くすることができる。さらに、スライドカバー７０が小さくなることによって、ポータブルコンピュータ１０は、軽量化される。同様に、第１の孔塞インシュレータ９０およびシール部材１００が大型化することが抑制されるので、低コストおよび軽量化が成される。
【０１０９】
また、開口部５３の前縁５３ｂは、キーボード載置部５０の前縁５１の後方に位置している。それゆえ、前縁５３ｂと前縁５１との間には、隙間Ａが規定されている。
【０１１０】
キーボード２８の操作性を向上するために、キーボード２８の前方を後方よりも下げることによってキーボード２８を傾斜させる場合、万が一、キーボード２８上に液体がこぼれても、該液体は、隙間Ａに溜まる。それゆえ、液体が筐体２１内に浸入することが抑制される。
【０１１１】
また、シール部材１００を備えることによって、筐体２１への液体の浸入が抑制される。
【０１１２】
また、リブ１５０によってスライドカバー７０が支持されるので、キーボード２８が下方向Ｄに移動することが抑制される。それゆえ、キー入力時に発生するトランポリング現象（キーの上下移動）が抑制される。
【０１１３】
また、シール部材１００は、リブ１５０よりも上方に突出している。それゆえ、シール部材１００が潰れるので、開口部５３は、効果的に液密にシールされる。
【０１１４】
また、リブ１５０が縁５６とシール部材１００との間に位置する。それゆえ、リブ１５０は、筐体２１内への液体の浸入を阻止する機能を有するようになる。したがって、筐体２１内への液体の浸入が抑制される。
【０１１５】
また、スライドカバー７０に係合部としての第１,２の爪部１２０,１３０が形成され、筐体２１に第１,２の係止部１１１,１１２が形成され、これら第１,２の爪部１２０,１３０と第１,２の係止部１１１,１１２とは、互いに係合する。
【０１１６】
それゆえ、スライドカバー７０を筐体２１に効率よく固定されるようになる。
【０１１７】
また、スライドカバー７０は、スライドされるだけで筐体２１に係合されるので、スライドカバー７０と筐体２１とを係合する係合作業の作業効率は、向上する。
【０１１８】
また、スライドカバー７０に把持部材８０が固定されるので、作業員は、把持部材８０を用いて、効率よくスライドカバー７０をスライドすることができる。
【０１１９】
また、第１の爪部１２０は、第１の幅Ｌ１が高さ方向の第１の厚みＬ２よりも小さい。このように形成される第１の爪部１２０を、例えば幅方向Ｘにファン装置５や第１の部品６などに挟まれることによって幅方向Ｘに制限がある部位に形成することによって、幅方向Ｘに制限のある部位であっても、係合部と回りの部品との干渉を防ぐことができる。
【０１２０】
さらに、第２の爪部１３０は、第２の幅Ｌ４が高さ方向の第２の厚みＬ３よりも大きい。このように形成される第２の爪部１３０を、例えば下方に第２〜４の部品が配置されることによって高さ方向に制限がある部位に形成することによって、高さ方向に制限のある部位であっても、係合部と回りの部品との干渉を防ぐことができる。
【０１２１】
つまり、上記のように第１,２の爪部１２０,１３０を使い分けることによって、上記干渉を考慮して筐体２１を大きくする必要がない。したがって、筐体２１が大きくなることを抑制することができる。さらに、第１,２の爪部１２０,１３０を使い分けることによって、これら爪部の配置の制限が抑制される。それゆえ、スライドカバー７０に多くの係合部を形成することができる。具体的には、開口部５３の縁部５５の左縁部５５ａの略全域と右縁部５５ｂの略全域とに係合部を形成することができる。同様に、縁部５５に多くの係止部を形成することができる。それゆえ、スライドカバー７０は、筐体２１に強固に係合されるようになる。
【０１２２】
また、スライドカバー７０は、スライドされた後、ねじ１６０によって筐体２１に固定される。それゆえ、スライドカバー７０は、第１,２の爪部１２０,１３０と第１,２の係止部１１１,１１２との係合が外れる方向へ移動することが防止される。つまり、スライドカバー７０が筐体２１から外れてしまうことが抑制されるので、水などの液体が筐体２１内へ浸入することが抑制される。
【０１２３】
また、第１の孔塞インシュレータ９０によって、貫通孔７１と収容孔７６と第１,２の爪部１２０,１３０とが液密に塞がれている。それゆえ、筐体２１内へ水などの液体が浸入することが抑制される。
【０１２４】
さらに、第１の孔塞インシュレータ９０を備える構造の採用によって、スライドカバー７０に軽量化の為の貫通孔７１を形成することができる。それゆえ、ポータブルコンピュータ１０は、軽量化される。
【０１２５】
また、第１,２の爪部１２０,１３０がスライドカバー７０の一部から形成される。それゆえ、第１,２の爪部１２０,１３０を別部材を用いて形成することがないので、コストが削減される。さらに、第１,２の爪部１２０,１３０がスライドカバー７０と一体であるので、第１,２の爪部１２０,１３０の強度が向上する。
【０１２６】
また、把持部材８０の固定部８１は、スライドカバー７０と第１の孔塞インシュレータ９０との間に位置する。つまり、第１の孔塞インシュレータ９０は、把持部材８０をスライドカバー７０に固定する機能を有するようになる。それゆえ、把持部材８０が外れることが抑制される。
【０１２７】
また、第１の爪部１２０に第１のガイド部１４０が形成され、第１の係止部１１１に第２のガイド部１４２が形成され、第２の爪部１３０に第３のガイド部１４４が形成され、第２の係止部１１２に第４のガイド部１４６が形成されることによって、スライドカバー７０は、前方向Ｃにスライドされるだけで、下方向Ｄに沈みこむ。スライドカバー７０が沈みこむことによって、シール部材１００が縁部５５とスライドカバー７０との間で潰れるので、開口部５３は、液密にシールされるようになる。なお、下方向Ｄは、本発明で言う、カバーから筐体へ向かう方向である。
【０１２８】
つまり、スライドカバー７０をスライドするだけで、第１,２の爪部１２０,１３０と第１,２の係止部１１１,１１１２とを係合する作業と、シール部材１００を潰す作業とが同じに行われる。したがって、スライドカバー７０を筐体２１に組み付ける作業の効率が向上する。
【０１２９】
また、本実施形態では、スライドカバー７０の大きさを小さく抑えられるので、スライドカバー７０に生じる摺動抵抗は、小さく抑えられる。それゆえ、スライドカバー７０を比較的容易にスライドすることができる。
【０１３０】
また、シール部材１００がスポンジから形成されるので、シール部材１００を比較的容易に潰すことができる。さらに、シール部材１００とスライドカバー７０との間に生じる摺動抵抗が抑えられる。したがって、スライドカバー７０を組み付ける作業の効率が向上する。
【０１３１】
また、フレキシブル基板２８ｂのように、配線板４１において開口部５３に対向する範囲に実装されるコネクタ４２〜４６などの部品に接続される配線を、シール部材１００とスライドカバー７０との間を通すことによって、該配線に起因するシール部材１００とスライドカバー７０との間の隙間の発生を抑制することができる。それゆえ、筐体２１ないに水などの液体が浸入することが抑制される。
【０１３２】
この点について、具体的に説明する。例えば、上記配線がシール部材と縁部５５との間を通る場合、配線は、キーボード載置部５０から縁部５５へ向かって折れ曲がることになる。配線が折れ曲がることによって、隙間が形成されやすくなる。上記のように、配線がシール部材１００の上面を通ると、配線が折れ曲げられることが抑制される。
【０１３３】
また、スライドカバー７０の前端７４、つまりスライドカバー７０においてスライドカバー７０のスライド方向先端が第１の孔塞インシュレータ９０によって覆われることによって、スライドカバー７０をスライドする際に、前端７４によって、周囲の配線などが傷つくことが抑制される。
【０１３４】
なお、把持部材８０は、第１の孔塞インシュレータ９０とスライドカバー７０との間に固定されたが、これに限定されない。例えば、把持部材８０は、第１の孔塞インシュレータ９０の上面に固定されてもよい。
【０１３５】
つぎに、本発明の第２の実施形態に係る電子機器を、ポータブルコンピュータ１０を一例に、図１８を用いて説明する。なお、第１の実施形態と同様な機能を有する構成は、同一の符号を付して説明を省略する。
【０１３６】
本実施形態では、第１の孔塞インシュレータ９０の構造が第１の実施形態と異なる。他の点は、第１の実施形態と同様であってよい。
【０１３７】
この点について、具体的に説明する。図１８は、本実施形態の第１の孔塞インシュレータ９０がスライドカバー７０に固定されている状態を示している。図１８に示すように、第１の孔塞インシュレータ９０には、把持部８２が一体に形成されている。
【０１３８】
それゆえ、本実施形態では、別途に把持部材を必要としない。したがって、本実施形態では、第１の実施形態の効果に加えて、部品点数を削減することができるので、コストを削減することができる。
【図面の簡単な説明】
【０１３９】
【図１】本発明の第１の実施形態に係るポータブルコンピュータを示す斜視図。
【図２】図１に示されたコンピュータ本体が分解された状態を示す斜視図。
【図３】図２に示された筐体の上壁部を示す斜視図。
【図４】図２中に２点鎖線で示されるＦ４の範囲を拡大して示す斜視図。
【図５】図２に示されたスライドカバーを示す斜視図。
【図６】図２に示されたスライドカバーが筐体に固定された状態を示す斜視図。
【図７】図２に示されたスライドカバーに把持部材が固定された状態を示す斜視図。
【図８】図７に示されたスライドカバーに孔塞インシュレータが固定された状態を示す斜視図。
【図９】図８に示されたＦ９−Ｆ９線に沿う断面図。
【図１０】図６に示されたＦ１０−Ｆ１０線に沿う断面図。
【図１１】図５に示された第１の爪部を拡大して示す斜視図。
【図１２】図５に示された第２の爪部を拡大して示す斜視図。
【図１３】図５に示された第１の爪部が図４に示された第１の係止部に係合している状態を前後方向に沿って示す断面図。
【図１４】図５に示される第２の爪部が図４に示される第２の係止部に係合している状態を前後方向に沿って示す断面図。
【図１５】スライドカバーが筐体に係合された状態において、スライドカバーの前縁の近傍を前後方向沿って示す断面図。
【図１６】スライドカバーがスライドされる前の状態と後の状態とにおける第１の爪部の近傍を前後方向に沿って示す断面図。
【図１７】スライドカバーがスライドされる前の状態と後の状態とにおける第２の爪部の近傍を前後方向に沿って示す断面図。
【図１８】本発明の第２の実施形態に係るポータブルコンピュータの孔塞インシュレータを示す斜視図。
【符号の説明】
【０１４０】
１０…ポータブルコンピュータ（電子機器）、２１…筐体、２８…キーボード、２８ｂ…フレキシブル基板（配線）、４０…回路モジュール、５０…キーボード載置部、５３…開口部、５５…縁部、７０…スライドカバー（カバー）、８２…把持部、１００…シール部材、１００ａ…状端部（シール部材のカバー側端部）、１１１…第１の係止部１１１、１１２…第２の係止部、１２０…第１の爪部、１２２…本体部、１３０…第２の爪部、１３２…本体部、１４０…第１のガイド部（ガイド部）、１４２…第２のガイド部（ガイド部）、１４４…第３のガイド部（ガイド部）、１４６…第４のガイド部（ガイド部）、１５０…リブ、１５０ａ…上面（リブの先端）、Ｓ…開口面積、Ｘ…幅方向（スライド方向および高さ方向と交差する方向）、Ｙ…上下方向（高さ方向）、Ｃ…前方向（スライド方向）。
【図１】
2007041637.tif 000003
【図２】
2007041637.tif 000004
【図３】
2007041637.tif 000005
【図４】
2007041637.tif 000006
【図５】
2007041637.tif 000007
【図６】
2007041637.tif 000008
【図７】
2007041637.tif 000009
【図８】
2007041637.tif 000010
【図９】
2007041637.tif 000011
【図１０】
2007041637.tif 000012
【図１１】
2007041637.tif 000013
【図１２】
2007041637.tif 000014
【図１３】
2007041637.tif 000015
【図１４】
2007041637.tif 000016
【図１５】
2007041637.tif 000017
【図１６】
2007041637.tif 000018
【図１７】
2007041637.tif 000019
【図１８】
2007041637.tif 000020